(57)【要約】【課題】窓脇の見切縁に流れ込んだ雨水は、壁面内部へ流れ込み、壁面の雨漏れの原因となる、雨漏れを防止する隅角部材と雨仕舞の向上した壁構造を得る。【解決手段】窓脇の見切縁に流れ込んだ雨水を、排出する流水板を持つ、隅角部材とそれを使用する壁構造とする。【選択図】  図１
2006029052.tif 000002
【特許請求の範囲】
【請求項１】
建築用パネルによる端部を覆う見切縁において、その見切縁を固定する釘打辺と、その釘打辺から立ち上がる見切底とをつたう雨水を、その見切縁の下方に取り付けられる、雨水を壁の外方に流す流水面により、排出する事を特徴とする隅角部材。
【請求項２】
請求項１の隅角部材が、見切縁の見切辺と隅角部材との隙間を覆う、被覆機能を持つ、請求項１記載の隅角部材。
【請求項３】
隅角部材に見切縁の釘打辺の雨水を、流水面に集める集水機能を持つ水受片を持つ、請求項１及び２記載の隅角部材。
【請求項４】
見切縁の釘打辺に集水機能を持つ傾斜した突条を持つ見切縁を組み合わせる、請求項１〜３の隅角部材。
【請求項５】
見切縁の見切辺と隅角部材との隙間を覆う、被覆機能を持つ被覆部材を組み合わせる、請求項１〜４の隅角部材。
【請求項６】
請求項５の被覆部材が前記の見切縁に引っ掛ける、引掛端を一部切り欠いて流出口を形成する被覆部材を使用する、請求項５記載の隅角部材。
【請求項７】
請求項１〜６の隅角部材を使用する壁構造。
【発明の詳細な説明】
【技術分野】
【０００１】  この発明は、窓下コーナーの建築用パネル施工に用いられる、隅角部材とそれを使用する壁構造に関する。
【背景技術】
【０００２】  従来、窓廻りの建築用パネル施工に用いられる、見切縁をＬ字形に固定して、そのコーナーには施工による隙間が発生し、雨水の侵入や美観が低下するため、そのコーナーに被覆部材を被せる、壁部材と壁構造が知られている。
（例えば、特許文献１参照。）
【特許文献１】実公平３−２３９３２号公報
【発明の開示】
【発明が解決しようとする課題】
【０００３】  従来の技術には、窓脇の見切縁に流れ込んだ雨水は、壁面内部へ流れ込み、壁面の雨漏れの原因になる。
【課題を解決するための手段】
【０００４】  この発明は、窓脇の見切縁に流れ込んだ雨水を、排出する流水板を持つ、隅角部材とそれを使用する壁構造とする。
【発明の効果】
【０００５】  この発明による隅角部材とそれを使用する壁構造には、次のような効果がある。【０００６】Ａ．建築用パネルによる端部を覆う見切縁において、その見切縁を固定する釘打辺と、その釘打辺から立ち上がる見切底とをつたう雨水を、その見切縁の下方に取り付けられる、雨水を壁の外方に流す流水面により、排出する隅角部材。
ａ．窓脇の見切縁に流れ込んだ雨水を壁面外に排出可能になり、
イ．壁面内部へ流れ込みを防ぎ、壁面の雨漏れを防止する。【０００７】Ｂ．見切縁の見切辺と隅角部材との隙間を覆う、被覆機能を持つ、隅角部材とする事により、
ａ．見切縁の見切辺と隅角部材との隙間を覆うことにより、美観が向上し、
ｂ．施工容易になり、施工性が向上する。【０００８】Ｃ．見切縁の釘打辺の雨水を、隅角部材の流水面に集める集水機能を持つ水受片を持つ、隅角部材とする事により、
ａ．隅角部材の流水面の幅を狭くすることが可能になり、
イ．隅角部材流水板が施工可能になるように、Ｌ字形の切欠や溝状に切り欠いた切欠端の加工幅が狭くなり、
ロ．施工容易になり、施工性が向上し
ハ．建築用パネルの壁面での気密性が向上する。【０００９】Ｄ．見切縁の釘打辺に集水機能を持つ傾斜した突条を持つ見切縁を組み合わせる、隅角部材とする事により、
ａ．雨水を、隅角部材の流水面に集める集水機能が向上可能になる。【００１０】Ｅ．見切縁の見切辺と隅角部材との隙間を覆う、被覆機能を持つ被覆部材を組み合わせる、隅角部材とする事により、
ａ．見切縁の見切辺と隅角部材との隙間を覆うことにより、美観が向上し、
ｂ．施工容易になり、施工性が向上し、
ｃ．隅角部材の構造が簡単になる。【００１１】Ｆ．被覆部材が前記の見切縁に引っ掛ける、引掛端を一部切り欠いて流出口を形成する被覆部材を使用する、隅角部材とする事により、
ａ．雨水を、隅角部材の流水面から排水機能が向上可能になり、
イ．壁面内部へ流れ込みを防ぎ、壁面の雨漏れ防止性能が向上する。【００１２】Ｇ．この発明の隅角部材を使用する壁構造とすることにより、
ａ．窓廻りを見切縁の見切辺の幅と統一感のある、枠取りにより囲うことが容易になり、
イ．壁面の意匠性が向上し、
ｂ．雨仕舞性能が向上し、コーキングが減少か不要になり、
イ．コーキングの劣化による汚れを防止して美観が向上し、
ロ．コーキング手間が省け、施工性が向上し、コストが下がる。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板等を使用する。【００１４】Ｂ．この発明に使用される建築用パネルや水切受材の固定は、
ａ．釘打ちには、次に代表される、固定具を使用する。
イ．タッピングビス
ロ．釘
ハ．ホッチキス
ニ．木ネジ
ホ．ポップリベット等【００１５】Ｃ．この発明に使用される建築用パネルの裏打材は、
ａ．次に代表される発泡合成樹脂に、
イ．硬質発泡ウレタン樹脂
ロ．硬質発泡ヌレート樹脂
ハ．発泡フェノール樹脂
ニ．発泡スチレン樹脂等
ｂ．次に代表される裏面紙を積層している。
イ．はり合わせアルミニウム箔
ロ．スチールペーパー
ハ．ポリエチコートクラフト紙
ニ．アルミ蒸着紙
ホ．合成樹脂シート等【００１６】  発明の実施例について、次の、実施例１、実施例２、実施例３、実施例４、及び実施例５により、図面を参照して説明する。
【実施例１】
【００１７】  図１，図２，図３，図４，図５，及び図６は、この発明の実施例１を示すものである。【００１８】Ａ．図３に示す、実施例１においての建築用パネル１は、
ａ．金属板７による長尺の表面材１ａを成形して、次のような前面部１ｃと溝部１ｄとを持つ、前面基部１ｂを形成し、
イ．ほぼ平坦で細長い前面部１ｃと、
ロ．裏面側に長い底辺を欠いた等脚台形に折り曲げた、溝部１ｄとを、
ハ．交互に複数構成し、その両側に前面部１ｃを設けた前面基部１ｂとし、
ｂ．その前面基部１ｂの一側端に、次のような差込片１ｅを形成し、
イ．表面材１ａを裏面側にくの字形に折り曲げ、さらに裏面側に鋭角的に折り曲げ、
ロ．さらに、クランク状に表面側に折り曲げて、そして、Ｕ字形に表面側に折り曲げて、先端を裏面側に折り返した差込片１ｅを形成し、
ｃ．また、その前面基部１ｂの他側端に、次のような嵌合溝１ｆと釘打片１ｇを形成し、
イ．表面材１ａを、裏面側にくの字形に折り曲げて、さらに裏面側にくの字形に折り曲げ、そして裏面側に折り返して、次にＵ字形に表面側に折り曲げて、嵌合溝１ｆを形成し、
ロ．その嵌合溝１ｆを延長し、途中が半円形に表面側に突起し、先端を表面側に折り返した釘打片１ｇを形成し、
ｄ．その成形した表面材１ａの裏面側に、
イ．差込片１ｅの先端の折り返しに裏面紙１ｉの側端を挿入し、その裏面紙１ｉの他側端を釘打片１ｇに乗せて、
ロ．その裏面紙１ｉにより覆われた発泡合成樹脂８ａによる、裏打材１ｈを形成し、
ハ．その長手方向の端部に切断端１ｊを形成している。【００１９】Ｂ．図５に示す、実施例１の見切縁２は、金属板７を成形して、
ａ．平坦な一端を裏面側に折り返した見切辺２ｈを形成し、
ｂ．その見切辺２ｈの他端を、裏面側にＬ字形に折り曲げて、次のような係止溝２ｊを持つ見切底２ｉを形成し、
イ．その係止溝２ｊは、前記の見切辺２ｈ側の見切底２ｉを浅い皿状に裏面側に窪めた係止溝２ｊとし、
ｃ．その見切底２ｉをＬ字形に裏面側に折り曲げて、裏面側に開口する断面半円状の突条２ｃを途中に持ち、先端を表面側に折り返した、釘打辺２ｂを形成し、
ｄ．それらの見切辺２ｈと見切底２ｉと釘打辺２ｂとにより、裏面側に開口する樋状の見切樋２ｍを構成する。【００２０】Ｃ．図６に示す、実施例１の隅角部材３は、金属板７を成形して、
ａ．ほぼ平坦で、一側端を裏面側にわずかにＬ字形に折り曲げた矩形の導水片３ｅを形成し、
ｂ．その導水片３ｅの一端を、鈍角に裏面側に折り曲げて、流水板３ｃを形成し、
ｃ．その流水板３ｃを表面側に鈍角に折り曲げて、固定片３ａを形成し、
ｄ．前記導水片３ｅの折り曲げた側端に対向する、その固定片３ａの側端を、Ｌ字形に表面側に折り曲げて、遮水片３ｂを形成し、
ｅ．そして、この隅角部材３と対称な隅角部材３とを組み合わせて、一対の隅角部材３を構成する。【００２１】Ｄ．図１，図２，及び図４に示す、実施例１の壁面５の施工は、
ａ．壁下地５ａを構成する、右と左の柱５ｂと、それらの柱５ｂとの間に取り付けられた、上と下との窓まぐさ５ｃとの間に、半外付けの窓枠６を固定し、
ｂ．そして、次のように胴縁５ｄを柱５ｂに施工し、
イ．前記の窓枠６の下枠を構成する、窓下枠６ａの下方に沿って、胴縁５ｄを施工し、
ロ．その胴縁５ｄの上側に、他の胴縁５ｄを乗せて、その先端を、前記の窓枠６の左右の枠を構成するである、窓縦枠６ｂに合わせて施工し、
ハ．また、壁面５の適宜な個所に胴縁５ｄを施工し、
ｃ．その胴縁５ｄに、次のように前記の見切縁２を横に施工し、
イ．前記の窓下枠６ａの寸法にほぼ合わせて、切断したすこし長めの見切縁２を、
ロ．前記の窓下枠６ａの下方に見切辺２ｈを沿わせて設置し、その釘打辺２ｂを釘打ち固定し、
ｄ．次に、隅角部材３を次のように施工し、
イ．前記の窓枠６の左右の縦枠を構成する、窓縦枠６ｂと、その窓縦枠６ｂから側方に出た見切縁２の見切辺２ｈとの角において、
ロ．隅角部材３の導水片３ｅを見切縁２の見切辺２ｈに被せて、
ハ．隅角部材３の固定片３ａを釘打ち固定し、
ｅ．それから、見切縁２を次のように縦に施工し、
イ．前記の窓枠６の長さに合わせて、切断した見切縁２を、
ロ．その見切縁２の見切底２ｉを、窓縦枠６ｂに沿わして、
ハ．その見切縁２の釘打辺２ｂの一方の端部を、前記の隅角部材３の流水板３ｃと固定片３ａとの角に合わせて、その釘打辺２ｂを釘打ち固定し、
ｆ．上記のように、施工された窓廻りの、壁下地５ａに、建築用パネル１を次のように、縦張り施工し、
イ．この壁面５に横方向に続く、すでに施工された建築用パネル１の嵌合溝１ｆに、
ロ．窓枠６部の壁面５の形状に合わせて、Ｌ字形に切り欠いた切込端１ｋと、隅角部材３の流水板３ｃが入るように、Ｌ字形の切欠から溝状に切り欠いた切欠端１ｋとを持つ、建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地５ａに充当する複数の建築用パネル１による、壁面５を施工し、
ホ．隅角部材３の流水板３と、建築用パネル１の溝状に切り欠いた切欠端１ｋとの外側の隙間に、シーリング材８ｂを充填し施工する。
【実施例２】
【００２２】  図３，図５，図７，図８，図９，及び図１０は、この発明の実施例２を示すものである。【００２３】Ａ．図３に示す、実施例２においての建築用パネル１は、実施例１と同じものである。【００２４】Ｂ．図５に示す、実施例２においての見切縁２は、実施例１と同じものである。【００２５】Ｃ．図１０に示す、実施例２の隅角部材３は、金属板７を成形して、
ａ．ほぼ平坦で、一側端を表面側にＬ字形にわずかに折り曲げた矩形の導水片３ｅを形成し、
ｂ．その導水片３ｅの一端を、鈍角に表面側に折り曲げて、流水板３ｃを形成し、
ｃ．その流水板３ｃの、前記の導水片３ｅのＬ字形にわずかに折り曲げた側を、裏面側にＬ字形にわずかに折り曲げて流水堤３ｄを形成し、
ｄ．また、その流水板３ｃの導水片３ｅに対向する、端部を裏面側に鈍角に折り曲げて、固定片３ａを形成し、
ｅ．その固定片３ａの、流水板３ｃの流水堤３ｄ側を次のように折り曲げて、水受片３ｆを形成し、
イ．その水受片３ｆは、前記の見切縁２のほぼ釘打辺２ｂの幅の固定片３ａの角を、流水板３ｃの幅を残して斜めに裏面側にＵ字形に折り曲げて、
ロ．その折り曲げた金属板７は、ほぼ折り曲げた線を底辺とする台形を呈し、その上方の斜辺は、流水板３ｃとの折り曲げ線とほぼ平行とし、
ｆ．その水受片３ｆの折り曲げた側端に対向する、その固定片３ａの側端を、Ｌ字形に裏面側に折り曲げて、遮水片３ｂを形成し、
ｇ．その遮水片３ｂを、前記の見切縁２の見切底２ｉに合わせて、Ｌ字形に裏面側に折り曲げて、次のような被覆面３ｈを形成し、
イ．その被覆面３ｈは、前記の導水片３ｅを覆うように延長して、
ロ．その被覆面３ｈは、前記の見切縁２の見切辺２ｈに合わせて、Ｌ字形に裏面側に折り曲げて形成し、
ｈ．そして、この隅角部材３と対称な隅角部材３とを組み合わせて、一対の隅角部材３を構成する。【００２６】Ｄ．図７，図８，及び図９に示す、実施例２の壁面５の施工は、
ａ．壁下地５ａを構成する、右と左の柱５ｂと、それらの柱５ｂとの間に取り付けられた、上と下との窓まぐさ５ｃとの間に、外付けの窓枠６を固定し、
ｂ．その壁下地５ａに、次のように前記の見切縁２を横に施工し、
イ．前記の窓枠６の下枠を構成する、窓下枠６ａの寸法に合わせて、切断した見切縁２を、
ロ．前記の窓下枠６ａの下方に見切辺２ｈを沿わせて設置し、その釘打辺２ｂを釘打ち固定し、
ｃ．次に、隅角部材３を次のように施工し、
イ．前記の窓枠６の左右の縦枠を構成する、窓縦枠６ｂの下端の隅角部において、
ロ．隅角部材３の導水片３ｅを、見切縁２の見切辺２ｈの推定延長上に被せて、
ハ．隅角部材３の固定片３ａを釘打ち固定し、
ｄ．それから、見切縁２を次のように縦に施工し、
イ．前記の窓枠６の長さから、前記の隅角部材３の水受片３ｆの高さを引いた、長さにほぼ合わせて切断した見切縁２を、
ロ．その見切縁２の見切底２ｉを、窓縦枠６ｂに沿わして、
ハ．その見切縁２の一方の端部を、前記の隅角部材３の中に次のように合わせて、その釘打辺２ｂを釘打ち固定し、
○隅角部材３の固定片３ａと遮水片３ｂと被覆面３ｈを、それぞれ、見切縁２の釘打辺２ｂと見切底２ｉと見切辺２ｈとに対応させ、
ｅ．上記のように、施工された窓廻りの、壁下地５ａに、建築用パネル１を次のように横張り施工し、
イ．この壁面５に下方向に続く、すでに施工された建築用パネル１の嵌合溝１ｆに、
ロ．窓枠６部の壁面５の形状に合わせて、Ｌ字形に切り欠いた切込端１ｋを持つ、建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地５ａに充当する複数の建築用パネル１による、壁面５を施工する。
【実施例３】
【００２７】  図３，図９，図１１，図１２，図１３，図１４，図１５，及び図１６は、この発明の実施例３を示すものである。【００２８】Ａ．図３に示す、実施例３においての建築用パネル１は、実施例１と同じものである。【００２９】Ｂ．図１４に示す、実施例３においての見切縁２は、次のような、見切材２ｇと釘打材２ａとからなり、組み合わせて施工される。
ａ．その見切材２ｇ金属板７を成形して、
ｂ．平坦な一端を裏面側に折り返した見切辺２ｈを形成し、
ｃ．その見切辺２ｈの他端を、裏面側にＬ字形に折り曲げて、次のような係止溝２ｊを持つ見切底２ｉを形成し、
イ．その係止溝２ｊは、前記の見切辺２ｈ側の見切底２ｉを浅い皿状に裏面側に窪めた係止溝２ｊとし、
ｄ．その見切底２ｉを裏面側に折り返して、前記の係止溝２ｊ側で、表面側にコの字形に折り曲げ、さらに、裏面側に折り返した、次のような切起突起２ｌを複数持つ差込辺２ｋを形成し、
イ．その切起突起２ｌは金属板７を、
ロ．船底を差込辺２ｋの折り返しせ側に向けて、ほぼ半裁の船形に差込辺２ｋの両側に交互に突起させ、
ハ．船縁側が切断され、金属板７のほぼ２枚分程度の段差を形成し、
ｅ．また、釘打材２ａは合成樹脂８を成形して、
ｆ．表面側に突起する断面三角形の突条２ｃを一側端と途中に持つ、ほぼ平坦な釘打辺２ｂを形成し、
ｇ．その釘打辺２ｂの他側端側に、断面音叉形の嵌合辺２ｄを形成し、
イ．その嵌合辺２ｄは、その先端に次のような複数の鋸歯突起２ｅを持つ、嵌合溝２ｆを形成し、
ロ．その鋸歯突起２ｅは嵌合辺２ｄから隆起する、断面が短辺と長辺からなる山形で、その短辺が嵌合辺２ｄに直交し、長辺が先端部側に位置し、
ｈ．そして、見切材２ｇの差込辺２ｋを、釘打材２ａの嵌合溝２ｆに差し込み、見切材２ｇの見切辺２ｈと見切底２ｉと、釘打材２ａの釘打辺２ｂとにより、裏面側に開口する樋状の見切樋２ｍを構成する。【００３０】Ｃ．図１５に示す、実施例３の隅角部材３は、金属板７を成形して、
ａ．ほぼ平坦で、一側端を表面側にＬ字形にわずかに折り曲げた矩形の導水片３ｅを形成し、
ｂ．その導水片３ｅの他側端を、表面側にＬ字形にわずかに折り曲げると共に、その先端側を延長し裏面側にＬ字形に折り曲げて、その先端をＵ字形に裏面側に折り曲げた引掛片３ｇを形成し、
ｃ．その導水片３ｅの後端側を、鈍角に裏面側に折り曲げて、流水板３ｃを形成し、
ｄ．その流水板３ｃの、前記の導水片３ｅの引掛片３ｇ側を、表面側にＬ字形にわずかに折り曲げて流水堤３ｄを形成し、
ｄ．また、その流水板３ｃの導水片３ｅに対向する、端部を表面側に鈍角に折り曲げて、固定片３ａを形成し、
イ．その水受片３ｆは、前記の見切縁２のほぼ釘打辺２ｂの幅の固定片３ａの角を、流水板３ｃの幅を残して斜めに表面側にＵ字形に折り曲げて、
ロ．その折り曲げた金属板７は、ほぼ折り曲げた線を底辺とする台形を呈し、その上方の斜辺は、流水板３ｃとの折り曲げ線とほぼ平行とし、
ｆ．その水受片３ｆの折り曲げた側端に対向する、その固定片３ａの側端を、Ｌ字形に表面側に折り曲げて、遮水片３ｂを形成し、
イ．その遮水片３ｂは、流水板３ｃに接触し、その先端は、前記の流水板３ｃの流水堤３ｄと同様に、わずかに突起する。
ｇ．そして、この隅角部材３と対称な隅角部材３とを組み合わせて、一対の隅角部材３を構成する。【００３１】Ｄ．図１６に示す、実施例３の被覆部材４は、金属板７を成形して、
ａ．ほぼ直角二等辺三角形の斜辺の中央部を、一回り小さな直角二等辺三角形により、切り欠かれた形状の連係面４ａとし、
ｂ．その連係面４ａの、直角を構成する両外辺を、裏面側に半円形に折り曲げて引掛端４ｂを形成し、
ｃ．その引掛端４ｂどうしの、角から前記の隅角部材３の引掛片３ｇの幅程度の個所に、隅角部材３の導水片３ｂの幅程度を切り欠いて、流出口４ｄを形成し、
ｄ．その引掛端４ｂの向かい側の連係面４ａを裏面側にＬ字形に折り曲げ、ほぼ矩形で鈍角なクランク状に裏面側に折り曲げた、押止端４ｃを形成する。【００３２】Ｅ．図９，図１１，図１２，及び図１３に示す、実施例３の壁面５の施工は、
ａ．壁下地５ａを構成する、右と左の柱５ｂと、それらの柱５ｂとの間に取り付けられた、上と下との窓まぐさ５ｃとの間に、半外付けの窓枠６を固定し、
ｂ．その壁下地５ａに、次のように前記の見切縁２の釘打材２ａを横に施工し、
イ．前記の窓枠６の下枠を構成する、窓下枠６ａの寸法に合わせて、切断した釘打材２ａを、
ロ．前記の窓下枠６ａの下方に嵌合辺２ｄを沿わせて設置し、その釘打辺２ｂを釘打ち固定し、
ｃ．次に、隅角部材３を次のように施工し、
イ．前記の窓枠６の左右の縦枠を構成する、窓縦枠６ｂの下端の隅角部において、
ロ．隅角部材３の導水片３ｅを、見切縁２の見切辺２ｈの推定延長上に被せて、
ハ．隅角部材３の固定片３ａを釘打ち固定し、
ｄ．それから、見切縁２の釘打材２ａを次のように縦に施工し、
イ．前記の窓枠６の長さから、前記の隅角部材３の水受片３ｆの高さを引いた、長さにほぼ合わせて切断した釘打材２ａを、
ロ．その釘打材２ａの嵌合辺２ｄを、窓縦枠６ｂに沿わして、
ハ．その釘打材２ａの一方の端部を、前記の隅角部材３の中に次のように合わせて、その釘打辺２ｂを釘打ち固定し、
○隅角部材３の固定片３ａと遮水片３ｂを、それぞれ、釘打材２ａの釘打辺２ｂと嵌合辺２ｄとに対応させ、
ｅ．上記のように施工された、窓廻りの壁下地５ａに、建築用パネル１を次のように横張り施工し、
イ．この壁面５に下方向に続く、すでに施工された建築用パネル１の嵌合溝１ｆに、
ロ．窓枠６部の壁面５の形状に合わせて、Ｌ字形に切り欠いた切込端１ｋを持つ、建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地５ａに充当する複数の建築用パネル１による、壁面５を施工し、
ｆ．それから、施工された釘打材２ａに、見切材２ｇを次のように差し込み施工し、
イ．施工された釘打材２ａの長さに合わせた見切材２ｇを、
ロ．釘打材２ａの嵌合溝２ｆに、見切材２ｇの差込辺２ｋを差し込み、
ハ．釘打材２ａの鋸歯突起２ｅと、見切材２ｇの切起突起２ｌとを噛み合わせ、
ｇ．そして、次のように被覆部材４を施工し、
イ．施工された見切材２ｇの見切辺２ｈどうしによる角に、被覆部材４の連係面４ａを被せて、
ロ．窓脇の見切材２ｇの見切辺２ｈの先端と、施工された隅角部材３の引掛片３ｇとに、被覆部材４の一方の引掛端４ｂを引掛て、
ハ．その見切材２ｇの係止溝２ｊに、被覆部材４の一方の押止端４ｃを差し込み、
ニ．窓下の見切材２ｇの見切辺２ｈの先端に、被覆部材４の他方の引掛端４ｂを引掛て、
ホ．後者の見切材２ｇの係止溝２ｊに、被覆部材４の一方の押止端４ｃを差し込み施工する。
【実施例４】
【００３３】  図３，図９，図１５，図１６，図１７，図１８，図１９，及び図２０は、この発明の実施例４を示すものである。【００３４】Ａ．図３に示す、実施例４においての建築用パネル１は、実施例１と同じものである。【００３５】Ｂ．図２０に示す、実施例４においての見切縁２は、次のような、見切材２ｇと釘打材２ａとからなり、組み合わせて施工される。
ａ．実施例４の見切材２ｇは、実施例１と同じものであり、
ｂ．実施例４の釘打材２ａは、金属板７を成形して、
ｃ．裏面側に開口する断面半円状で端部に対して傾斜する複数の突条２ｃを持ち、先端を表面側に折り返した、ほぼ平坦な釘打辺２ｂを形成し、
ｄ．その釘打辺２ｂの他側端側に、次のような嵌合辺２ｄを形成し、
イ．表面側に開口するＶ字形に折り曲げた両端を表面側にくの字形に折り曲げて、更に、直角に折り曲げて、そして、鋭角的に裏面側に折り曲げ、次いで、鋭角的に裏面側に折り曲げて、相対する鋸歯突起２ｅを形成し、
ロ．その内側に開口部が狭まった嵌合溝２ｆを持つ、相対する嵌合辺２ｄを構成し、
ハ．その嵌合辺２ｄの一端はＬ字形に裏面側に曲がり、もう一端は表面側にＬ字形に折れ曲がって、前記の釘打辺に連なり、
ｅ．釘打材２ａはその突条２ｃの傾斜が、対称となる釘打材２ａと組み合わせて、一対の釘打材２ａを構成する。
ｆ．そして、見切材２ｇの差込辺２ｋを、釘打材２ａの嵌合溝２ｆに差し込み、見切材２ｇの見切辺２ｈと見切底２ｉと、釘打材２ａの釘打辺２ｂとにより、裏面側に開口する樋状の見切樋２ｍを構成する。【００３６】Ｃ．図１５に示す、実施例４の隅角部材３は、実施例３と同じものである。【００３７】Ｄ．図１６に示す、実施例４の被覆部材４は、実施例３と同じものである。【００３８】Ｅ．図９，図１７，図１８，及び図１９に示す、実施例４の壁面５の施工は、
ａ．壁下地５ａを構成する、右と左の柱５ｂと、それらの柱５ｂとの間に取り付けられた、上と下との窓まぐさ５ｃとの間に、半外付けの窓枠６を固定し、
ｂ．その壁下地５ａに、次のように前記の見切縁２の釘打材２ａを横に施工し、
イ．前記の窓枠６の下枠を構成する、窓下枠６ａの寸法に合わせて、切断した釘打材２ａを、
ロ．前記の窓下枠６ａの下方に嵌合辺２ｄを沿わせて設置し、その釘打辺２ｂを釘打ち固定し、
ｃ．次に、隅角部材３を次のように施工し、
イ．前記の窓枠６の左右の縦枠を構成する、窓縦枠６ｂの下端の隅角部において、
ロ．隅角部材３の導水片３ｅを、見切縁２の見切辺２ｈの推定延長上に被せて、
ハ．隅角部材３の固定片３ａを釘打ち固定し、
ｄ．それから、見切縁２の釘打材２ａを次のように縦に施工し、
イ．釘打材２ａの嵌合辺２ｄを、窓縦枠６ｂに沿わしたときに、突条２ｃの傾斜が下方に向かって窓縦枠６ｂ側に接近するものを選択し、
ロ．前記の窓枠６の長さから、前記の隅角部材３の水受片３ｆの高さを引いた、長さにほぼ合わせて切断した釘打材２ａを、
ハ．その釘打材２ａの嵌合辺２ｄを、窓縦枠６ｂに沿わして、
ニ．その釘打材２ａの一方の端部を、前記の隅角部材３の中に次のように合わせて、その釘打辺２ｂを釘打ち固定し、
○隅角部材３の固定片３ａと遮水片３ｂを、それぞれ、釘打材２ａの釘打辺２ｂと嵌合辺２ｄとに対応させ、
ｅ．上記のように施工された、窓廻りの壁下地５ａに、建築用パネル１を次のように横張り施工し、
イ．この璧面５に下方向に続く、すでに施工された建築用パネル１の嵌合溝１ｆに、
ロ．窓枠６部の壁面５の形状に合わせて、Ｌ字形に切り欠いた切込端１ｋを持つ、建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地５ａに充当する複数の建築用パネル１による、壁面５を施工し、
ｆ．それから、施工された釘打材２ａに、見切材２ｇを次のように差し込み施工し、
イ．施工された釘打材２ａの長さに合わせた見切材２ｇを、
ロ．釘打材２ａの嵌合溝２ｆに、見切材２ｇの差込辺２ｋを差し込み、
ハ．釘打材２ａの鋸歯突起２ｅと、見切材２ｇの切起突起２ｌとを噛み合わせ、
ｇ．そして、次のように被覆部材４を施工し、
イ．施工された見切材２ｇの見切辺２ｈどうしによる角に、被覆部材４の連係面４ａを被せて、
ロ．窓脇の見切材２ｇの見切辺２ｈの先端と、施工された隅角部材３の引掛片３ｇとに、被覆部材４の一方の引掛端４ｂを引掛て、
ハ．その見切材２ｇの係止溝２ｊに、被覆部材４の一方の押止端４ｃを差し込み、
ニ．窓下の見切材２ｇの見切辺２ｈの先端に、被覆部材４の他方の引掛端４ｂを引掛て、
ホ．後者の見切材２ｇの係止溝２ｊに、被覆部材４の一方の押止端４ｃを差し込み施工する。
【実施例５】
【００３９】  図３，図９，図１６，図２１，図２２，図２３，図２４，及び図２５は、この発明の実施例５を示すものである。【００４０】Ａ．図３に示す、実施例５においての建築用パネル１は、実施例１とおなじものである。【００４１】Ｂ．図２４に示す、実施例５においての見切縁２は、金属板７を成形して、
ａ．平坦な一端を裏面側に折り返した見切辺２ｈを形成し、
ｂ．その見切辺２ｈの他端を、裏面側にＬ字形に折り曲げて、次のような係止溝２ｊを持つ見切底２ｉを形成し、
イ．その係止溝２ｊは、前記の見切辺２ｈ側の見切底２ｉを浅い皿状に裏面側に窪めた係止溝２ｊとし、
ｃ．その見切底２ｉを、裏面側に開口する半円形に曲げ、それに続いて４分割円弧形に表面側に折り曲げて、
ｄ．裏面側と表面側に交互に開口する、断面半円状の突条２ｃを端部に対して傾斜する複数の突条２ｃを持ち、
ｅ．先端を、４分割円弧形に表面側に折り曲げて、続けて裏面側に開口する４分割円弧形と半円形に折り返した、釘打辺２ｂを形成し、
ｆ．見切縁２はその突条２ｃの傾斜が、対称となる見切縁２と組み合わせて、一対の見切縁２を構成し、
ｇ．それらの見切辺２ｈと見切底２ｉと釘打辺２ｂとにより、裏面側に開口する樋状の見切樋２ｍを構成する。【００４２】Ｃ．図２５に示す、実施例５の隅角部材３は、実施例３とほぼ同じ構成ものであり、前記の見切縁２の釘打辺２ｂの幅に合わせて、その固定片３ａと水受片３ｆを広げてある。【００４３】Ｄ．図１６に示す、実施例４の被覆部材４は、実施例３と同じものである。【００４４】Ｅ．図９，図２１，図２２，及び図２３に示す、実施例５の壁面５の施工は、
ａ．壁下地５ａを構成する、右と左の柱５ｂと、それらの柱５ｂとの間に取り付けられた、上と下との窓まぐさ５ｃとの間に、半外付けの窓枠６を固定し、
ｂ．その壁下地５ａに、次のように前記の見切縁２を横に施工し、
イ．前記の窓枠６の下枠を構成する、窓下枠６ａの寸法に合わせて、切断した見切縁２を、
ロ．前記の窓下枠６ａの下方に見切底２ｉを沿わせて設置し、その釘打辺２ｂを釘打ち固定し、
ｃ．次に、隅角部材３を次のように施工し、
イ．前記の窓枠６の左右の縦枠を構成する、窓縦枠６ｂの下端の隅角部において、
ロ．隅角部材３の導水片３ｅを、見切縁２の見切辺２ｈの推定延長上に被せて、
ハ．隅角部材３の固定片３ａを釘打ち固定し、
ｄ．それから、見切縁２を次のように縦に施工し、
イ．見切縁２の見切辺２ｈを、窓縦枠６ｂに沿わしたときに、突条２ｃの傾斜が下方に向かって窓縦枠６ｂ側に接近するものを選択し、
ロ．前記の窓枠６の長さから、前記の隅角部材３の水受片３ｆの高さを引いた、長さにほぼ合わせて切断した見切縁２を、
ハ．その見切縁２の見切辺２ｈを、窓縦枠６ｂに沿わして、
ニ．その見切縁２の一方の端部を、前記の隅角部材３の中に次のように合わせて、その釘打辺２ｂを釘打ち固定し、
○隅角部材３の固定片３ａと遮水片３ｂを、それぞれ、見切縁２の釘打辺２ｂと見切底２ｉとに対応させ、
ｅ．上記のように施工された、窓廻りの壁下地５ａに、建築用パネル１を次のように横張り施工し、
イ．この壁面５に下方向に続く、すでに施工された建築用パネル１の嵌合溝１ｆに、
ロ．窓枠６部の壁面５の形状に合わせて、Ｌ字形に切り欠いた切込端１ｋを持つ、建築用パネル１の差込片１ｅを差し込み、その釘打片１ｇを釘打ち固定し、
ハ．その建築用パネル１の嵌合溝１ｆに、他の建築用パネル１の差込片１ｅを差し込み、その釘打片１ｇを釘打ち固定し、
ニ．上記を繰り返し、壁下地５ａに充当する複数の建築用パネル１による、壁面５を施工し、
ｆ．そして、次のように被覆部材４を施工し、
イ．施工された見切縁２の見切辺２ｈどうしによる角に、被覆部材４の連係面４ａを被せて、
ロ．窓脇の見切縁２の見切辺２ｈの先端と、施工された隅角部材３の引掛片３ｇとに、被覆部材４の一方の引掛端４ｂを引掛て、
ハ．その見切縁２の係止溝２ｊに、被覆部材４の一方の押止端４ｃを差し込み、
ニ．窓下の見切縁２の見切辺２ｈの先端に、被覆部材４の他方の引掛端４ｂを引掛て、
ホ．後者の見切縁２の係止溝２ｊに、被覆部材４の一方の押止端４ｃを差し込み施工する。
【図面の簡単な説明】
【００４４】
【図１】  壁面の施工状態を示す一部省略斜視図（実施例１）
【図２】  壁面の施工状態を示す一部省略斜視図（実施例１）
【図３】  建築用パネルを示す一部省略斜視図（実施例１〜５）
【図４】  建築用パネルを示す一部省略斜視図（実施例１）
【図５】  見切縁を示す一部省略斜視図（実施例１、２）
【図６】  隅角部材を示す斜視図（実施例１）
【図７】  壁面の施工状態を示す一部省略斜視図（実施例２）
【図８】  壁面の施工状態を示す一部省略斜視図（実施例２）
【図９】  建築用パネルを示す一部省略斜視図（実施例２〜５）
【図１０】  隅角部材を示す斜視図（実施例２）
【図１１】  壁面の施工状態を示す一部省略斜視図（実施例３）
【図１２】  壁面の施工状態を示す一部省略斜視図（実施例３）
【図１３】  壁面の施工状態を示す一部省略斜視図（実施例３）
【図１４】  見切縁を示す一部省略斜視図（実施例３）
【図１５】  隅角部材を示す斜視図（実施例３、４）
【図１６】  被覆部材を示す斜視図（実施例３〜５）
【図１７】  壁面の施工状態を示す一部省略斜視図（実施例４）
【図１８】  壁面の施工状態を示す一部省略斜視図（実施例４）
【図１９】  壁面の施工状態を示す一部省略斜視図（実施例４）
【図２０】  見切縁を示す一部省略斜視図（実施例４）
【図２１】  壁面の施工状態を示す一部省略斜視図（実施例５）
【図２２】  壁面の施工状態を示す一部省略斜視図（実施例５）
【図２３】  壁面の施工状態を示す一部省略斜視図（実施例５）
【図２４】  見切縁を示す一部省略斜視図（実施例５）
【図２５】  隅角部材を示す斜視図（実施例５）
【符号の説明】
【００５０】          １  建築用パネル
２  見切縁
３  隅角部材
４  被覆部材
５  壁面
６  窓枠
７  金属板
８  合成樹脂
【図１】
2006029052.tif 000003
【図２】
2006029052.tif 000004
【図３】
2006029052.tif 000005
【図４】
2006029052.tif 000006
【図５】
2006029052.tif 000007
【図６】
2006029052.tif 000008
【図７】
2006029052.tif 000009
【図８】
2006029052.tif 000010
【図９】
2006029052.tif 000011
【図１０】
2006029052.tif 000012
【図１１】
2006029052.tif 000013
【図１２】
2006029052.tif 000014
【図１３】
2006029052.tif 000015
【図１４】
2006029052.tif 000016
【図１５】
2006029052.tif 000017
【図１６】
2006029052.tif 000018
【図１７】
2006029052.tif 000019
【図１８】
2006029052.tif 000020
【図１９】
2006029052.tif 000021
【図２０】
2006029052.tif 000022
【図２１】
2006029052.tif 000023
【図２２】
2006029052.tif 000024
【図２３】
2006029052.tif 000025
【図２４】
2006029052.tif 000026
【図２５】
2006029052.tif 000027